(57)【特許請求の範囲】
【請求項１】
生体に光照射することにより発生した音響波を用いてイメージングを行う生体情報イメージング装置であって、  前記生体に光照射する光源と、  前記光源により照射された光のエネルギーの一部を吸収した前記生体内の光吸収体から発生する音響波を検出する音響波検出器と、  前記音響波検出器によって検出された電気信号を解析することにより得た、前記光吸収体と前記生体の光照射領域との相対的位置情報と、前記光吸収体から発生した音響波の音圧との変化を用いて、前記生体の平均的な等価減衰係数を算出する信号処理部と、  を有することを特徴とする生体情報イメージング装置。
【請求項２】
前記信号処理部は、前記生体の平均的な等価減衰係数から生体の吸収係数分布を算出することを特徴とする請求項１に記載の生体情報イメージング装置。
【請求項３】
前記信号処理部は、相互に異なる位置からの少なくとも２回の光照射により得られた前記電気信号から、前記生体の平均的な等価減衰係数を算出することを特徴とする請求項１に記載の生体情報イメージング装置。
【請求項４】
前記光源は２個以上の光源から構成されており、  前記信号処理部は、第一の光源から光照射することにより得た第一の距離と、該第一の光源とは異なる位置に設けられている第二の光源から光照射することにより得た第二の距離を用いて前記生体の平均的な等価減衰係数を算出することを特徴とする請求項１に記載の生体情報イメージング装置。
【請求項５】
前記光源から照射される光の光路を変換する光路変換器を有し、  前記信号処理部は、第一の位置から光照射することにより得た第一の距離と、前記光路変換器により該第一の位置とは異なる位置である第二の位置から光照射することにより得た第二の距離を用いて前記生体の平均的な等価減衰係数を算出することを特徴とする請求項１に記載の生体情報イメージング装置。
【請求項６】
前記光源は２個以上の光源から構成されており、  前記信号処理部は、ｎ個の光源を同時に光照射することにより得られた音圧とｎ−１個の光源を同時に光照射することにより得られた音圧との差を用いて前記生体の平均的な等価減衰係数を算出することを特徴とする請求項１に記載の生体情報イメージング装置。
【請求項７】
前記信号処理部は、前記相対的位置情報と、前記光吸収体から発生した音響波の音圧の対数で表される座標値から特定した直線を用いて、前記生体の平均的な等価減衰係数を算出することを特徴とする請求項１に記載の生体情報イメージング装置。
【請求項８】
前記直線は前記座標値から最小二乗法を用いて特定されることを特徴とする請求項７に記載の生体情報イメージング装置。
【発明の詳細な説明】
【技術分野】
【０００１】
本発明は、生体情報イメージング装置に関する。
【背景技術】
【０００２】
一般に、エックス線、超音波、ＭＲＩ（核磁気共鳴法）を用いたイメージング装置が医療分野で多く使われている。
【０００３】
一方、レーザーなどの光源から生体に照射した光を生体内に伝播させ、その伝播光等を検知することで、生体内の情報を得る光イメージング装置の研究も医療分野で積極的に進められている。
【０００４】
このような光イメージング技術の一つとして、Ｐｈｏｔｏａｃｏｕｓｔｉｃ  Ｔｏｍｏｇｒａｐｈｙ（ＰＡＴ：光音響トモグラフィー）が提案されている（非特許文献１）。
【０００５】
光音響トモグラフィーとは、光源から発生したパルス光を生体に照射し、生体内で伝播・拡散した光のエネルギーを吸収した生体組織から発生した音響波を複数の個所で検出し、それらの信号を解析処理し、生体内部の情報を可視化する技術である。これにより、生体内の光学特性値分布、特に光エネルギー吸収密度分布を得ることができる。
【０００６】
非特許文献１によれば、光音響トモグラフィーにおいて、光吸収により生体内の吸収体から得られる音響波の音圧（Ｐ）は次式で表すことができる。
Ｐ＝Γ・μａ・Φ
ここで、Γは弾性特性値であるグリューナイセン（Ｇｒｕｎｅｉｓｅｎ）係数であり、体積膨張係数（β）と音速（ｃ）の二乗の積を比熱（Ｃｐ）で割ったものである。
【０００７】
μａは吸収体の吸収係数、Φは局所的な領域での光量（吸収体に照射された光量）である。
【０００８】
Γは組織が決まれば、ほぼ一定の値をとることが知られているので、音響波の大きさである音圧Ｐの変化を複数の個所で時分割測定することによりμａとΦの積、すなわち、光エネルギー吸収密度分布を得ることができる。
【非特許文献１】Ｍ，Ｘｕ，Ｌ．Ｖ．Ｗａｎｇ¨Ｐｈｏｔｏａｃｏｕｓｔｉｃ  ｉｍａｇｉｎｇ  ｉｎ  ｂｉｏｍｅｄｉｃｉｎｅ¨，Ｒｅｖｉｅｗ  ｏｆ  ｓｃｉｅｎｔｉｆｉｃ  ｉｎｓｔｒｕｍｅｎｔｓ，７７，０４１１０１（２００６）
【発明の開示】
【発明が解決しようとする課題】
【０００９】
上記した従来例における光音響トモグラフィーでは、上記の式（１）から分かるように、音圧（Ｐ）の変化の計測から生体内の吸収係数（μａ）分布を求めるためには、吸収体に照射された光量の分布（Φ）を何らかの方法で求める必要がある。
【００１０】
しかし、生体内に導入された光は拡散するため、吸収体に照射された光量の推定が難しく、通常の発生した音響波の音圧測定だけでは、光エネルギー吸収密度（μａ×Φ）分布しか画像化することができない。
【００１１】
すなわち、音響波の音圧測定から、吸収体に照射される光量の分布（Φ）を算出し、生体内の吸収係数（μａ）の分布を正確に分離・画像化することは困難である。
【００１２】
この結果、生体内の吸収係数（μａ）の分布から、生体組織の構成物質特定や濃度測定を正確に行なうことが困難であるという課題を有している。
【００１３】
本発明は、上記課題に鑑み、解像度の高い生体内の光学的特性値分布、特に光吸収係数分布や生体の平均的な等価減衰係数を得ることが可能となる生体情報イメージング装置の提供を目的とする。
【課題を解決するための手段】
【００１４】
本発明に係る生体情報イメージング装置は、生体に光照射することにより発生した音響波を用いてイメージングを行う生体情報イメージング装置であって、前記生体に光照射する光源と、前記光源により照射された光のエネルギーの一部を吸収した前記生体内の光吸収体から発生する音響波を検出する音響波検出器と、前記音響波検出器によって検出された電気信号を解析することにより得た、前記光吸収体と前記生体の光照射領域との相対的位置情報と、前記光吸収体から発生した音響波の音圧との変化を用いて、前記生体の平均的な透過減衰係数を算出する信号処理部とを有することを特徴とする。
【発明の効果】
【００１５】
本発明によれば、解像度の高い生体内の光学的特性値分布、特に光吸収係数分布又や生体の平均的な等価減衰係数を得ることができ、これらを正確に画像化することが可能となる生体情報イメージング装置を提供することができる。
【発明を実施するための最良の形態】
【００１６】
次に、本発明の実施の形態について図面を参照しながら説明する。
【００１７】
［実施形態１］
図１に、本実施形態における生体情報イメージング装置の構成例を説明する図を示す。
【００１８】
図１（ａ）において、第一の光源１０から生体１１にパルス光１３を光照射したときに、生体内部にある光吸収体１２から音響波１４が発生する。この音響波１４は音響波検出器１５により電気信号を介して検出される。この検出された電気信号は信号処理部１６により解析される。
【００１９】
第一の光源１０から光を照射したときに、生体内にある光吸収体１２から発生した音響波１４の初期音圧Ｐ１は次式であらわすことができる。
【００２０】
【数１】
0004469903.tif 000002
【００２１】
ここで、Γは光吸収体のグリューナイセン係数、μａは光吸収体の吸収係数、Φは光吸収体に吸収された局所的な光量、μｅｆｆは生体の平均的な等価減衰係数、Φ０は光源から生体内に入射した光量である。
【００２２】
また、ｄ１は第一の光源１０からの光が生体に照射した領域（光照射領域）から光吸収体１２までの距離（第一の距離）、つまり、深さである。
光吸収体のグリューナイセン係数（Γ）は組織が分かればほぼ一定なので既知であると仮定すると、音響波検出器による音圧（Ｐ）の時間分解計測により、音響波発生源分布、吸収係数（μａ）と光量（Φ）の積（光エネルギー吸収密度分布）を求めることができる。
【００２３】
ここではすべての光源からの生体への照射光量Φ０を一定とし、かつ、生体の厚さに対して大きな領域で光を照射しているため、光が生体内を平面波のように伝播すると仮定している。なお、生体への照射光量Φ０を一定にするためには、光源から照射される光量を一定にしておけばよい。
【００２４】
また、音圧（Ｐ）変化の時間分解計測を多点で行うことで、音響波発生源分布あるいは光エネルギー吸収密度分を見積もることができる。
【００２５】
一方、図１（ｂ）は、第一の光源１０とは別の位置に設けられている第二の光源２０から生体１１にパルス光２３を照射した図である。この場合、光吸収体が生体内の中心に存在しないとすると、生体への光照射領域と光吸収体との距離は、第一の光源１０と第二の光源２０とで異なることとなる。
【００２６】
パルス光２３を照射することにより、生体内部にある光吸収体１２からは音響波２４が発生する。音響波２４は音響波検出器２６により検出され、検出された電気信号は信号処理部２６により処理される。
第一の光源１０とは生体内にある光吸収体からの距離が異なる第二の光源２０から光を照射したときに、光吸収体１２から発生した音響波２４の初期音圧Ｐ２は次式であらわすことができる。
【００２７】
【数２】
0004469903.tif 000003
【００２８】
ここで、ｄ２は第二の光源２０からの光が生体に照射した領域から光吸収体１２までの距離（第二の距離）、つまり深さである。前述したように、音圧（Ｐ）変化の時間分解計測により、音響波発生源分布あるいは光エネルギー吸収密度分を見積もることができる。
ところで、上記式（１）の両辺の対数をとると、次式のようになる。
【００２９】
【数３】
0004469903.tif 000004
【００３０】
また、上記式（２）の両辺の対数をとると、次式のようになる。
【００３１】
【数４】
0004469903.tif 000005
【００３２】
ここで、音圧Ｐ１と音圧Ｐ２は実測値から決定することができる。また、前記第一の距離ｄ１と、前記第二の距離ｄ２は音圧の時間分解測定から決定することができる。
【００３３】
そして、光が生体に照射した領域と光吸収体との距離ｄを横軸とし、音響波の音圧の対数を縦軸としてそれぞれの値を座標値としてプロットすると、図２のようなグラフを作成することができる。
【００３４】
図２の座標値から最小二乗法などで直線を特定すれば、特定した直線の傾きから生体の平均的な等価減衰係数（μｅｆｆ）を求めることができる。
【００３５】
このように、生体の平均的な等価減衰係数（μｅｆｆ）を求めることができれば、式（１）から明らかなように、光吸収体に照射される光量Φを求めることができる。これにより、吸収係数（μａ）と光量（Φ）の積である光エネルギー吸収密度の分布を吸収係数分布に変換することができる。さらに、従来の光音響トモグラフィーでは困難であった、生体内の吸収係数分布から、生体組織の構成物質特定や濃度測定を正確に行うことが可能となる。
【００３６】
なお、今回示した算出例は一例であり、この発明の本質は、光吸収体と光照射領域との相対的位置情報と、光吸収体から発生した音響波の音圧を用いて、生体の光学特性値分布情報を算出することである。すなわち、生体の平均的な等価減衰係数（μｅｆｆ）を求めることができれば、どのような演算手法を用いてもかまわない。
【００３７】
例えば、ここでは光源の照射領域を変化させ、光源の照射領域と光吸収体の距離を変化させた時の音圧を検収し、検出音圧の対数を距離に対してプロットしたときの傾きから生体の等価減衰係数を求めた。しかし、音圧の対数を取らずに、直接、式（１）あるいは式（２）の指数関数で変化曲線をフィッティングして、等価減衰係数を求めることも可能である。このように様々な方法で等価減衰係数を求めることができる。
【００３８】
次に、本実施形態を具体的に説明する。
【００３９】
第一の光源１０と第二の光源２０は生体内に導入された光吸収体１２に吸収される特定の波長のパルス光を照射する。パルス光はストレス閉じ込め条件を満足するものを用いることが望ましい。
【００４０】
また、これらの光源としてはレーザーが好ましいが、レーザーのかわりに発光ダイオードなどを用いることも可能である。レーザーとしては、固体レーザー、ガスレーザー、色素レーザー、半導体レーザーなど様々なレーザーを使用することができる。
【００４１】
本実施の形態においては、波長依存性を有する光吸収係数値分布を測定するために、光源は単一波長の光のみ発振するものではなく、異なる波長を発振できるものを用いても良い。
【００４２】
そのときの光源としては、発振する波長の変換可能な色素やＯＰＯ（Ｏｐｔｉｃａｌ  Ｐａｒａｍｅｔｒｉｃ  Ｏｓｃｉｌｌａｔｏｒｓ）を用いたレーザーなどが使用できる。
【００４３】
使用する光源の波長に関しては、生体内において吸収が少ない７００ｎｍから１１００ｎｍの領域が好ましい。
【００４４】
比較的生体表面付近の生体組織の光学特性値分布を求める場合は、上記の波長領域よりも範囲の広い、例えば４００ｎｍから１６００ｎｍの波長領域を使用することも可能である。
【００４５】
なお、各光源が被検体である生体の近くに配置できない場合は、光ファイバなどの光伝送路を用いて、光照射部を生体に導くことも可能である。
【００４６】
上記の図１を用いた説明では、第１の光源１０と第２の光源２０という２つの光源を用いたがミラーなどの光路変換器を用いて、１つの光源により異なる位置から光照射を行い、音響波のデータを測定してもよい。すなわち、第一の位置から光照射することにより得た第一の距離と、光路変換器により該第一の位置とは異なる位置である第二の位置から光照射することにより得た第二の距離を用いて求めた相対的位置情報から光学特性値分布情報を算出してもよい。
【００４７】
また、３つ以上の光源を用いて音響波のデータを測定すれば、さらに多数点の座標値を得ることができ、より確からしい値を求めることができる点で有益である。
【００４８】
本実施形態の音響波検出器１５、２５は、光源から生体に照射された光のエネルギーの一部を吸収した生体内の光吸収体から発生する音響波１４、２４を検出し、電気信号に変換する。これらの音響波検出器としては、圧電現象を用いたトランスデューサー、光の共振を用いたトランスデューサー、容量の変化を用いたトランスデューサーなど音響波信号を検知できるものであれば、どのような音波検出器を用いてもよい。
【００４９】
上記の図１を用いた説明では、２つの光源に対応して２つの音響波検出器を設けているが、１つの音響波検出器で２つの光源からの光照射によって得られる音響波を検出してもよい。
【００５０】
なお、音響波検出器から得られた電気信号が小さい場合は増幅器を用いて、信号強度を増幅することが好ましい。
【００５１】
また、音響波検出器と測定対象である生体物質との間には、音波の反射を抑えるための音響インピーダンスマッチング剤を使うことが望ましい。
【００５２】
本実施形態の信号処理部１６、２６は、前記音響波検出器からの電気信号を解析し、これにより前記生体の光学特性値分布情報を得ることができる。具体的には、光エネルギー吸収密度分布、光吸収特性値分布、生体の平均的な等価減衰係数等を得ることができる。
【００５３】
信号処理部は、音響波の強さとその時間変化を記憶し、それを演算手段により、光学特性値分布のデータに変換できるものであればどのようなものを用いてもよい。
【００５４】
例えば、オシロスコープとオシロスコープに記憶されたデータを解析できるコンピューターなどが使用できる。
【００５５】
また、上記の図１では、説明の便宜上、２つの信号処理部を設けた例を示しているが、１つの信号処理部あるいは３以上の信号処理部により、光学特性値分布情報を算出してもよい。
【００５６】
なお、光源が複数の波長の光を発生可能で、複数の波長の光を生体に照射する場合は、それぞれの波長に依存して変化する生体内の光学特性値分布を用いて、生体を構成する物質の濃度分布を画像化することも可能である。
【００５７】
例えば、吸収係数値分布を算出し、それらの値と生体組織を構成する物質（グルコース、コラーゲン、酸化・還元ヘモグロビンなど）固有の波長依存性とを比較することによって、生体を構成する物質の濃度分布を画像化することも可能である。
【００５８】
光吸収体１２としては、生体内における腫瘍、血管、またはこれらに類する生体内における光を吸収する物体が挙げられる。光吸収体１２として分子プローブを用いる場合には、一般的にインドシニアングリーン（ＩＣＧ）などが選択される。ただし、パルス光照射により、周辺の生体物質よりも大きな音響波を発するものであれば、どのような物質を用いてもかまわない。
【００５９】
このような実施形態に示された生体情報イメージング装置を用いることで、従来技術よりも生体内に導入された分子プローブの光学特性分布を正確に、かつ、簡便に画像化することが可能になる。
【００６０】
［実施形態２］
実施形態２では、同時に複数の光源から光照射することにより得られた音圧の時間変化情報から光学特性値分布を算出する構成例について説明する。
【００６１】
図３に、本実施形態における生体情報イメージング装置の構成例を説明する図を示す。
【００６２】
図３において、３０は光源、３１は生体、３２は光吸収体、３３はパルス光、３４は音響波、３５は音響波検出器、３６は信号処理部（情報処理部）である。
【００６３】
ここで、ｎ個の光源３０（例えば図３では４個）からパルス光を広げて照射したときに、生体３１の内にある光吸収体３２から発生した音波の音圧Ｐｔｏｔａｌは次式であらわすことができる。
【００６４】
【数５】
0004469903.tif 000006
【００６５】
ここで、Γは光吸収体のグリューナイセン係数、μａは光吸収体の吸収係数、Φは光吸収体に吸収された局所的な光量、μｅｆｆは生体の平均的な等価減衰係数、Φ０は光源から生体内に入射した光量である。
また、ｄｉは番号ｉの光源からの光が生体に照射した領域から光吸収体までの距離である。
【００６６】
吸収体のグリューナイセン係数は組織が分かればほぼ一定なので既知であるとすると、音響波検出器による音圧（Ｐ）の時間分解計測により、第一の音響波発生源分布、吸収係数（μａ）と光量（Φ）の積（第一の光エネルギー吸収密度の分布）を求めることができる。
【００６７】
なお、ここではすべての光源からの照射光量Φ０を一定とし、光が生体内を平面波のように伝播すると仮定している。
【００６８】
次に図４に示すように、光源３０のうちｋ番目の光源からの光を遮断すると、ｎ−１個の光源３０からパルス光が照射される。このパルス光により光吸収体３２から発生した音波Ｐｋは、次式で表すことができる。
【００６９】
【数６】
0004469903.tif 000007
【００７０】
ここで、ｄｋはｋ番目の光源からの光が生体に照射した領域から光吸収体までの距離である。
【００７１】
そして、音圧（Ｐ）変化の時間分解計測により、第二の音響波発生源分布や第二の光エネルギー吸収密度分布を求めることができる。
【００７２】
ところで、ｎ個の光源から得た音圧と、ｎ−１個の光源から得た音圧との差は、式（５）と式（６）の差分により求まり、次式で表すことができる。
【００７３】
【数７】
0004469903.tif 000008
【００７４】
ここで両辺の対数をとると、式（７）は次式のようになる。
【００７５】
【数８】
0004469903.tif 000009
【００７６】
式（８）の左辺は音圧の実測値から決定することができる。また、遮断したｋ番目の光源からの光が生体に照射した領域と吸収体との距離ｄｋは音圧の時間分解測定から決定することができる。したがって、光の照射領域と光吸収体との距離ｄを横軸とし、音響波の音圧の対数を縦軸としてそれぞれの値を座標値として図５の符号３７のようにプロットすることができる。
【００７７】
同様に、（ｋ−１）番目の光源からの光を遮断すれば、ｎ−２個の光源からパルス光が照射され、光吸収体から発生した音波Ｐｋ−１が測定される。音波Ｐｋと音波Ｐｋ−１との差分を求め、遮断した（ｋ−１）番目の光源から照射された光が生体内に入射した領域から光吸収体との距離ｄｋ−１を求めれば、図５の符号３８のようにプロットすることができる。
【００７８】
例えば、１番目、２番目、３番目の光源（計３個）からの光照射と、１番目、２番目の光源（計２個）からの光照射から得たデータの差分をとることにより符号３７のようにプロットすることができる。また、この１番目、２番目の光源（計２個）からの光照射と、１番目の光源（１個）からの光照射から得たデータの差分をとることにより符号３８のようにプロットすることができる。
【００７９】
なお、この１番目、２番目の光源（計２個）からの光照射と、１番目の光源（１個）からの光照射から得たデータの差分をプロットし、次いで１番目の光源から得たデータにより更に２個目のプロットを行ってもよい。すなわち、本実施形態の構成では、光源は２個以上設ければよい。
【００８０】
上記のように、図５にプロットされた座標値から最小二乗法などで直線を特定すれば、その直線の傾きから生体の等価減衰係数を求めることができる。このように、生体の平均的な等価減衰係数（μｅｆｆ）を求めることができれば、式（１）から明らかなように、光吸収体に照射される光量Φを求めることができる。これにより、吸収係数（μａ）と光量（Φ）の積である光エネルギー吸収密度の分布を吸収係数分布に変換することができる。さらに、従来の光音響トモグラフィーでは困難であった、生体内の吸収係数分布から、生体組織の構成物質特定や濃度測定を正確に行うこというが可能となる。
【００８１】
なお、今回示した算出例は一例であり、この発明の本質は、光吸収体から発生した音響波から得られた相対的位置情報や音圧の差分を用いて、生体の光学特性値分布情報を算出することである。すなわち、生体の平均的な等価減衰係数（μｅｆｆ）を求めることができれば、どのような演算手法を用いてもかまわない。
【００８２】
例えば、変化音圧の対数を取らずに、直接、式（７）の指数関数で変化曲線をフィッティングして、等価減衰係数を求めることも可能である。このように様々な方法で等価減衰係数を求めることができる。
【００８３】
次に、本実施形態をより具体的に説明する。
【００８４】
光源３０はパルス光を生体に照射するもので、生体の異なる場所を同時に照射できるように複数個所に設けられている。また、少なくとも２つ以上の光源からの光を遮断可能に構成されている。遮断は光源のＯＮ／ＯＦＦにより実現してもよいし、光源と生体との間に遮光部材を設けてもよい。
【００８５】
なお、光源３０としては、実施形態１で説明したものを使用することが可能である。
【００８６】
また、光吸収体３２は、生体内における腫瘍、血管、またはこれらに類する生体内における光吸収体である。この光吸収体３２は、光エネルギーの一部を吸収して音響波３４を発生する。
【００８７】
また、音響波検出器３５は、上記した光吸収体３２が光のエネルギーの一部を吸収して発生した音響波３４を検出し、電気信号に変換する。
【００８８】
また、本実施の形態では、複数の音響波検出器を生体表面近傍に配置させた場合を示しているが、このような配置に限らず、複数の個所で音響波が検知可能に構成されていればよい。
【００８９】
すなわち、複数の個所で音響波を検知できれば同じ効果が得られるため、１個の音波検出器を生体表面上で２次元に走査しても良い。
【００９０】
また、それぞれの音響波検出器は１次元や２次元に検出器が配列したアレイ型であっても良い。
【００９１】
なお、実施形態１で説明した増幅器や音響インピーダンスマッチング剤を用いてもよい。
【００９２】
信号処理部３６は、前記音響波検出器からの電気信号を解析し、これにより前記生体の光学特性値分布情報を得ることができる。具体的には、光エネルギー吸収密度分布、光吸収特性値分布、生体の平均的な透過減衰係数等が得られる。
【００９３】
なお、実施形態１で説明したように、光源が複数の波長の光を発生可能で、複数の波長の光を生体に照射する場合は、それぞれの波長に関して、生体内の光学特性値分布によって、生体を構成する物質の濃度分布を画像化することも可能である。
【００９４】
実施形態２で説明した構成によれば、複数の光源から同時に光を照射することで、生体内にある吸収体に照射される光量を増加させることも可能であり、従来よりも大きな音響波信号を得ることができる。また、測定結果の差分情報を用いることで、音響波の生体内の散乱・反射などによる影響などのノイズを低減することが可能になる。この結果、得られた生体内の光学特性値分布は、測定ノイズに影響されなくなり、正確な解析が可能となる。
【図面の簡単な説明】
【００９５】
【図１】本発明の実施形態１における生体情報イメージング装置の構成例を説明する図である。
【図２】本発明の実施形態１における生体情報イメージング装置で得られる信号を解析した結果の一例を説明する図である。
【図３】本発明の実施形態２における生体情報イメージング装置の構成例を説明する図である。
【図４】本発明の実施形態２における１つ以上の光源からの光を遮断し、それ以外の光源で同時に生体に照射したときに、光吸収体から発生した音響波信号を検出する状態を説明する図である。
【図５】本発明の実施形態２における生体情報イメージング装置で得られる信号を解析した結果の一例を説明する図である。
【符号の説明】
【００９６】
１０  光源
１１  生体
１２  光吸収体
１３  パルス光
１４  音響波
１５  音響波検出器
１６  信号処理部（情報処理部）
【図１】
0004469903.tif 000010
【図２】
0004469903.tif 000011
【図３】
0004469903.tif 000012
【図４】
0004469903.tif 000013
【図５】
0004469903.tif 000014